(57)【要約】      （修正有）【課題】発電プラントの復水器用の冷却水ポンプの消費電力を停止して節電して大幅に向上した高効率発電プラントを提供する。昼夜電力需要負荷の平準化を提供する、地球温暖化抑止を提供する。【解決手段】発電プラントの復水器６に昼間冷却水ポンプ１を停止して、氷熱交換器５より氷水循環パイプ４ａを通してシャーペット状の氷水を氷水循環ポンプ３を駆動して送入する。低温の氷水は冷却能力が高いので小量化出来て氷水循環ポンプ３の消費電力は小で有るので節電により発電効率の大幅向上となる。深夜余剰電力で製氷して貯蔵して昼間冷却水ポンプ１の大幅節電に活用することで昼夜電力需要負荷の平準化を提供する。本発明で得た電力はＣＯ２等のガスを発生しないので地球温暖化抑止を提供する。【選択図】図１
2006037941.tif 000002
【特許請求の範囲】
【請求項１】
水蒸気系発電プラント、又は混合媒体系発電プラントの冷却水ポンプ（１）を昼間電力需要ピーク時に停止してクラッチ（２ａ、２ｂ）を閉じるクラッチ（２Ｃ、２Ｄ）開を同時操作して氷水循環ポンプ（３）を稼動する氷熱交換器（５）内部の氷と冷水が混合して循環パイプ（４Ａ）接続している冷却水パイプ（１１）を通して復水器（６）内部に送入循環して冷却水排水パイプ（１３）に排水して氷水循環パイプ（４ｂ）を通して氷熱交換器（５）に環流するタービン（７）より排出された排蒸気は復水器（６）内部の氷水で熱交換冷却され復水となり従来のように搬送手段によって循環して熱源で加熱され再蒸気化してタービン（７）を駆動して発電機（８）で発電する従来のように冷却水（海水）で排蒸気を冷却復水する場合クラッチ（２ａ、２ｂ）を開けて氷水循環ポンプ（３）を停止しクラッチ２Ｃ２Ｄを閉じて冷却水ポンプ（１）を稼動する．氷は深夜余剰電力で製氷して貯蔵して昼間電力需要ピーク時に氷搬送手段（９）を稼動して氷入口（１０ａ、ｂ）より送入する氷水の余剰水は氷水排水パイプ（１２）より排水する氷の代替えに液体酸素液体窒素を適量使用出来る上記を備えたことを特徴とする氷冷却発電プラント。
【発明の詳細な説明】
【発明の詳細な説明】
【０００１】〔発明の属する技術分野〕
本発明は発電プラントに係わり、特に発電後の排蒸気を復水する冷却に関する。
【０００２】〔従来の技術〕
従来発電後タービンより排出される水蒸気系又は混合媒体系排蒸気は主に海水を冷却水として復水器に導入するが超大量の冷却水を必要とし冷却水ポンプの消費電力コストが多大で（例えば川内原子力発電の場合発電能力１７８万ｋｗ冷却水ポンプ消費電力コスト年間約４８億円）である。したがって不経済で、排蒸気の冷却に消費される電力分だけ大きく昼間発電効率を押し下げている。
昼夜電力需要の負荷が大きく深夜余剰電力４３％の例もある、対策の一例として夜間の電力で発電用燃料を製造して貯蔵し、昼間この燃料で発電する発明が特許公開されている。（公開特許公報２０００−１２０４０４参照）
【０００３】〔発明が解決しようとする課題〕
従来の復水器にあっては、昼間発電した電力を多大に冷却水ポンプに消費することで大きく発電効率のマイナスとなっているので発電効率向上が課題である。
揚水発電液体窒素をガスタービン発電と構成する等、昼夜電力需要格差向上対処法が実行されているが昼夜電力需要格差の平準化が大きな課題である。
【０００４】本発明は、上記課題である、発電後の排蒸気の復水に消費される昼間電力を大幅に削減することで発電プラントの熱効率を向上するのを目的とする。
深夜余剰電力を昼間転用して冷却水ポンプの消費電力の節電に活用して、昼夜電力需要負荷の平準化の向上を目的とする。
【０００５】〔課題を解決するための手段〕
上記目的を達成するために、従来の冷却水（海水）よりも低温の氷を使用して発電後の排蒸気の冷却復水を実施することで、大幅に冷却水と消費電力が削減出来る。深夜余剰電力を用いて製氷してその氷を貯蔵して昼間復水器用の冷却水ポンプの消費電力の節減に氷を活用して、昼夜電力需要負荷の平準化手段とする。
【０００６】〔作用〕
復水器内の熱交換器内に氷水は（シャーベット状態）で流入して復水器内で氷は排蒸気の伝熱で溶けて水となって、復水器外へ排出循環する。
従来の発電後排蒸気の冷却水（海水）の温度約１６℃〜２４℃（日本沿岸年平均）に比して上記の氷と冷水の混合した物は約−５℃〜４℃の低温であるため冷却水使用量が本発明では従来よりも大幅に削減できる。
従来の冷却水ポンプの消費電力に比して氷水循環ポンプの消費電力は約１０％である、氷の代替えに液体酸素、窒素使用時は爆気を爆気排出口１５より排出する。
前記混合媒体はアンモニアと水の混合液
既存の発電プラントを改造して本発明を実施出来る
尚、本発明の氷冷却能力は氷の温度と投入量の加減による。
本発明の熱源と氷熱交換器、復水器部等の構成、稼動方法、材質、技術、等は従来の応用であるのでこれ等の詳細な図示、説明は省略する。
【０００７】本発明においては、復水器と氷熱交換器の両者は別個に分離しているが復水器と氷熱交換器の両者機能を一体化して合理化した特許が出願されている（出願申請番号特願２００４−１９８６９２参照）
【０００８】クラッチ２ａ、２ｂの閉止操作とクラッチ２Ｃ、２Ｄ、の開操作は同時に行う、逆操作も同じ。
氷と冷水と混合したものを復水器に送入する方法と、氷で冷却した冷水だけ復水器に送入する方法の二実施法が有る。氷は氷入口１０ｂより混入する。
【０００９】水蒸気系発電プラントの排蒸気をアンモニアガスタービン発電プラントの熱源として活用して構成する、複合熱交換による複合発電法の復水器と冷却システムの両者に、又は後者だけに請求項１を備えると良い。（公開特許公報２００４−１２４９３７参照）
【０００１０】〔発明の実施の形態〕
本発明の実施の形態について図１を参照して説明すると、水蒸気系発電プラント又は混合媒体系発電プラントの冷却水ポンプ１を昼間電力需要ピーク時に停止しクラッチ２ａ、２ｂを閉じて冷却水の流入を止める、クラッチ２Ｃ、２Ｄを開けて氷水循環ポンプ３を駆動して氷熱交換器５内部の氷と冷水が混合して氷水循環パイプ４ａ接続している冷却水パイプ１１を通して復水器６内部に送入循環して冷却水排水パイプ１３に排水して氷水循環パイプ４ｂを通して氷熱交換器５に環流する、タービン７の排蒸気は復水器６内部のシャーベト状の氷水で冷却され復水となり、従来のように搬送手段によって循環して熱源によって再加熱され蒸気化して放出してタービン７を駆動して発電機８で発電する。
従来の冷却水（海水）で冷却する方法はクラッチ（２ａ、２ｂ）を開けて氷水循環ポンプ３を停止してクラッチ２Ｃ、２Ｄを閉じる、冷却水ポンプ１を稼動して冷却水を復水器６内に循環して冷却水排水パイプ１３へ冷却後の冷却水を排出する、余剰氷水は氷水排水パイプ（１２）より排出する、氷は深夜余剰電力を用いて製氷して貯蔵して昼間発電プラントの排蒸気の冷却に氷搬送手段９を駆動して氷入口１０ａ、１０ｂより送入する氷のサイズは復水器６内の熱交換器のパイプ内径より少し小さめが好しい氷の代替えに液体酸素液体窒素を適量であれば使用できる。
【０００１０】〔発明の効果〕
本発明は、以上説明したように構成されているので、以下に記載されるような効果を奏する。
【０００１１】発電プラントの復水器に氷を送入することにより冷却水量を大幅に削減できるので従来の冷却水ポンプの消費電力を大幅に節電できる。
【０００１２】深夜余剰電力を氷に変えて貯蔵して昼間電力需要ピーク時に復水器用の冷却水ポンプの節電に前記氷を活用することで昼夜電力需要負荷の平準化の向上を提供する。
【０００１３】本発明の冷却水ポンプの節電で得られた電力はＣＯ２等の排ガスが無いので地球温暖化抑止に貢献できる。
【０００１４】本発明を既説の発電プラントの冷却水パイプに接続して冷却水パイプに
2006037941.tif 000003
既設の発電プラントを上記のように本発明化出来る。
【図面の簡単な説明】〔図１〕
本発明の熱源部を除いた実施例の概略平面図。
【符号の説明】
１  冷却水ポンプ
２ａ、２ｂ、２Ｃ、２Ｄ、クラッチ
３  氷水循環ポンプ
４ａ４ｂ  氷水循環パイプ
５  氷熱交換器
６  復水器
７  タービン
８  発電機
９  氷搬送手段
１０ａ、１０ｂ、氷入口
１１、冷却水パイプ
１２、氷水排水パイプ
１３、冷却水排水パイプ
１４、復水パイプ
１５  液体酸素（又は窒素）爆気排出口
【図１】
2006037941.tif 000004